(57)【要約】【課題】機械的に簡易な構造にて、磁気テープにおける摺動区間の位置精度及び走行速度の安定性を両立させることができ、経済的で且つ磁気テープの各仕様に対して汎用性に優れる磁気テープの繰り返し摺動装置を提供する。【解決手段】オーバル状に配設され、一方向に周回するチェーン２と、磁気テープＭＴの両端部を固定するテープ固定部材３と、チェーン２の周回変位をテープ固定部材３の往復変位に変換可能とするアーム部材８と、を備え、磁気テープＭＴをループ状に巻回し、テープ固定部材３を往復運動させることにより、磁気テープＭＴを磁気ヘッド１１に繰り返し摺動させる構成とした。【選択図】　図１
2004013999.tif 000002
【特許請求の範囲】
【請求項１】
オーバル状に配設され、一方向に周回する無端条体と、
磁気テープの両端部を固定するテープ固定部材と、
前記無端条体の周回変位を前記テープ固定部材の往復変位に変換可能とする変位変換手段と、を備え、
前記磁気テープをループ状に配設し、前記テープ固定部材を往復運動させることにより、前記磁気テープを摺動対象物に繰り返し摺動させる構成としたことを特徴とする磁気テープの繰り返し摺動装置。
【発明の詳細な説明】
【０００１】
【発明の属する技術分野】
本発明は、磁気テープの繰り返し摺動装置に関するものである。
【０００２】
【従来の技術】
磁気ヘッド等の摺動対象物に対して磁気テープの一定区間を繰り返し往復走行させる、いわゆる繰り返し摺動の耐久性を評価する装置に求められる重要な要件として、磁気テープにおける摺動区間の位置精度、つまり磁気テープの折り返し停止位置の割り出し精度や磁気テープの走行速度の安定性などが挙げられる。
【０００３】
この磁気テープの折り返し停止位置の割り出し精度や走行速度の安定性を考慮した従来技術として、磁気テープにサーボ信号を記録し、磁気ヘッドによりこのサーボ信号を読み取ることで磁気テープの折り返し停止位置を検出する方法や、パルスモータ等のＣＰＵにより制御される駆動モータを使用する方法が挙げられる。
【０００４】
【発明が解決しようとする課題】
しかしながら、前記従来技術によれば、サーボ信号の読み取りや駆動モータの制御に関し高価な制御機器を要することとなり、技術的にも難しい構成となるという問題があった。また、特にサーボ信号を読み取る方法では、対象となる磁気テープの仕様が限定されることとなり、磁気テープの繰り返し摺動装置として汎用性の点において問題であった。
【０００５】
本発明は以上のような問題を解消するために創作されたものであり、機械的に簡易な構造にて、磁気テープにおける摺動区間の位置精度及び走行速度の安定性を両立させることができ、経済的で且つ磁気テープの各仕様に対して汎用性に優れる磁気テープの繰り返し摺動装置を提供することを目的としている。
【０００６】
【課題を解決するための手段】
本発明は前記課題を解決するため、オーバル状に配設され、一方向に周回する無端条体と、磁気テープの両端部を固定するテープ固定部材と、前記無端条体の周回変位を前記テープ固定部材の往復変位に変換可能とする変位変換手段と、を備え、前記磁気テープをループ状に配設し、前記テープ固定部材を往復運動させることにより、前記磁気テープを摺動対象物に繰り返し摺動させる構成からなる磁気テープの繰り返し摺動装置とした。
【０００７】
当該構成により、磁気テープに位置検出用のサーボ信号を記録したり、位置検出の信号を受けて駆動モータの回転方向を切り換え制御する制御機器、或いはＣＰＵにより制御される高価な駆動モータを要することがなくなり、機械的に簡易な構造にて、磁気テープにおける摺動区間の位置精度及び走行速度の安定性を両立でき、経済的で且つ磁気テープの各仕様に対して汎用性に優れた繰り返し摺動装置となる。
【０００８】
また、前記変位変換手段として、前記無端条体と前記テープ固定部材とを連結し、前記テープ固定部材に対して前記無端条体の移動面と直交する軸方向回りに回転可能に取り付けられるアーム部材を備える構成とした。
【０００９】
当該構成によれば、部品点数が少なく、簡易な構造となり、組み付け作業の容易な繰り返し摺動装置となる。
【００１０】
さらに、前記テープ固定部材の往復移動をガイドするガイド部を備える構成とした。
【００１１】
当該構成によれば、簡易な構造で、テープ固定部材を安定した姿勢で移動させることができ、経済的な繰り返し摺動装置となる。特に、ガイド部として、パネル状の部材に形成したガイド溝から構成すれば、より簡易な構造となるので経済的である。
【００１２】
【発明の実施の形態】
本発明の実施の形態について図面を参照しながら説明する。図１ないし図３はそれぞれ、磁気テープの繰り返し摺動装置の正面説明図、平面説明図、外観斜視図（一部省略）であり、図４は図１におけるＡ−Ａ断面図、図５はテープ固定部材の正断面説明図、図６は繰り返し摺動装置の作用説明図である。
【００１３】
図１ないし図３において、磁気テープの繰り返し摺動装置１は、オーバル状に配設され、一方向に周回する無端条体としてのチェーン２と、磁気テープＭＴの両端部を固定するテープ固定部材３と、チェーン２の周回変位をテープ固定部材３の往復変位に変換可能とする変位変換手段４とを備える。
【００１４】
メインパネル５の一面側には、メインパネル５のパネル面と直交する方向を軸回りとして駆動スプロケット６及び従動スプロケット７が回転自在に配設され、両者間にはチェーン２が掛け回される。つまり、メインパネル５のパネル面と、チェーン２の周回方向を含む平面（チェーン２の移動面というものとする）とが互いに平行となるように構成されている。駆動スプロケット６と従動スプロケット７の各ピッチ円直径は同一である。
【００１５】
チェーン２は少なくとも一部において、図３及び図４に示すように、アタッチメント付きのチェーン２´を含み、このアタッチメントの部位にアーム部材８の一端側が連結部９を介して取り付けられる。メインパネル５には、図１に示すように、チェーン２の移動面と直交する方向から見て、チェーン２における一対の直線状の走行部２ａの中央に位置し、各走行部２ａと平行となるガイド溝１０（仮想線にて示す）が形成されている。このガイド溝１０はテープ固定部材３の往復移動をガイドするガイド部を構成する。テープ固定部材３は、図３，図４に示すように、メインパネル５の他面側において磁気テープＭＴを固定する本体部３ａと、前記ガイド溝１０に挿嵌される嵌合部３ｂとを有した構成となっている。
【００１６】
嵌合部３ｂとガイド溝１０との関係においては、嵌合部３ｂをガイド溝１０の上面と底面に直接的に接するようにしてガイドさせる態様としても良いが、図４に示す例では、ガイド溝１０の底面にレール１６を固設し、このレール１６上をベアリングを介して走行するスライダ１７に嵌合部３ｂを固定している。これによりテープ固定部材３のスムースな直線移動が可能となる。なお、図１〜図３ではレール１６，スライダ１７の図示は省略してある。
【００１７】
図４において、アーム部材８はメインパネル５のパネル面と平行に延設され、その他端側はテープ固定部材３に対して、嵌合部３ｂの先端部に形成した回転軸部３ｃ回りに、つまりチェーン２の移動面と直交する軸方向回りに回転可能に取り付けられる。このアーム部材８が前記した変位変換手段４を構成する部材となる。
【００１８】
図１に示すように、メインパネル５の上方側には摺動対象物としての磁気ヘッド１１が配設されると共に、メインパネル５の四隅部近傍にはそれぞれガイドローラ１２が突設され、磁気テープＭＴはこれら磁気ヘッド１１，複数のガイドローラ１２にわたってループ状に巻回される。
【００１９】
テープ固定部材３の一具体例を説明すると、図５に示すように、テープ固定部材３は、磁気テープＭＴの始端及び終端をねじ１３の締結により固定する態様となっている。テープ固定部材３又はねじ１３側と、磁気テープＭＴ側との間には滑り止めのためのゴム材１４を介在させる。なお、磁気テープＭＴの一端側には例えばピン１５を取りつけ、ばね計りなどの荷重計でピン１５を引っ張り、ループ状に配設された磁気テープＭＴ全体に所定の引張荷重を付与したうえで、ねじ１３により締結固定する態様となっている。対象となる磁気テープＭＴは特に限定されるものではなく、各仕様のものが取り付け可能である。
【００２０】
以上の構成からなる繰り返し摺動装置１の作用を説明する。図６（ａ）に示すように、アーム部材８の連結部９がチェーン２の上側の走行部２ａに位置している状態で駆動モータＭ（図２）を駆動させ、例えばチェーン２を図における時計回りに周回させると、アーム部材８の介在によりテープ固定部材３が、その嵌合部３ｂ（図４等）がガイド部であるガイド溝１０にガイドされることで姿勢を維持しながら右方向へと移動する。つまり、磁気テープＭＴは図における反時計回り（Ｐ方向）に走行して磁気ヘッド１１に対して摺動する。
【００２１】
そして、図６（ｂ）に示すように、連結部９が駆動スプロケット６上を走行する間、アーム部材８は空回りのかたちで回転軸部３ｃ回りに回転し、テープ固定部材３は右端での静止状態を維持し、磁気テープＭＴは走行停止の状態となる。言うまでもなく、このときの回転軸部３ｃは駆動スプロケット６の回転軸と同軸上に位置している。次いで連結部９が駆動スプロケット６から離れてチェーン２の下側の走行部２ａに達すると（図６（ｃ）の状態）、アーム部材８の介在によりテープ固定部材３は左方向へと移動する。つまり、磁気テープＭＴは図における時計回り（Ｑ方向）に走行して磁気ヘッド１１に対して摺動する。そして、図６（ｄ）に示すように、連結部９が従動スプロケット７上を走行する間、アーム部材８は再び空回りのかたちで回転軸部３ｃ回りに回転し、テープ固定部材３は左端で静止し、磁気テープＭＴは走行停止の状態となる。このときの回転軸部３ｃは従動スプロケット７の回転軸と同軸上に位置している。
【００２２】
以上から判るように、回転軸部３ｃの移動軌跡は、チェーン２の移動面と直交する方向から見て、駆動スプロケット６の回転軸と従動スプロケット７の回転軸とを結ぶ線分上に一致する。このように、チェーン２の周回変位は回転軸部３ｃ回りに回転可能に取り付けられたアーム部材８を介してテープ固定部材３の往復変位に変換され、図６（ａ）〜（ｄ）を繰り返すことで、磁気テープＭＴは全く同一の区間において磁気ヘッド１１に対して繰り返し摺動がなされることとなる。駆動モータＭの回転数を一定とした場合、テープ固定部材３の移動速度が、立ち上がりから停止まで常に一定速度となることは勿論であり、これにより磁気テープＭＴの走行速度が常に一定に保たれることとなる。
【００２３】
以上のように、オーバル状に配設され、一方向に周回するチェーン２と、磁気テープＭＴの両端部を固定するテープ固定部材３と、チェーン２の周回変位をテープ固定部材３の往復変位に変換可能とする変位変換手段４とを備え、磁気テープＭＴを磁気ヘッド１１に対してループ状に巻回し、テープ固定部材３を往復運動させることにより、磁気テープＭＴを磁気ヘッド１１に繰り返し摺動させる構成とすれば、従来のように、磁気テープＭＴに位置検出用のサーボ信号を記録したり、位置検出の信号を受けて駆動モータの回転方向を切り換え制御するＣＰＵ等の制御機器、又はパルスモータ等の高価な駆動モータを要することがなくなり、機械的に簡易な構造にて、磁気テープＭＴにおける摺動区間の位置精度及び走行速度の安定性を両立させることが可能となり、経済的で且つ磁気テープＭＴの各仕様に対して汎用性に優れた繰り返し摺動装置となる。
【００２４】
また、変位変換手段４として、チェーン２とテープ固定部材３とを連結し、少なくともテープ固定部材３に対してチェーン２の移動面と直交する軸方向回りに回転可能に取り付けられるアーム部材８を備える構成とすれば、部品点数が少なく、簡易な構造となり、組み付け作業の容易な繰り返し摺動装置となる。
【００２５】
さらに、テープ固定部材３の往復移動をガイドするガイド部を備える構成とすれば、特に本実施形態のようにメインパネル５のようなパネル状の部材を配設して、その部材にガイド溝１０を形成する構成とすれば、簡易な構造で、テープ固定部材を安定した姿勢で移動させることができ、経済的な繰り返し摺動装置となる。
【００２６】
以上、本発明について好適な実施形態を説明したが、本発明は説明した実施形態に限られることなく、例えば、無端条体としてはチェーンの他、タイミングベルトなどが適用可能である。その他、本発明は各構成要素の形状やレイアウト等についてその趣旨を逸脱しない範囲で適宜に設計変更が可能である。
【００２７】
【発明の効果】
本発明によれば、磁気テープに位置検出用のサーボ信号を記録したり、位置検出の信号を受けて駆動モータの回転方向を切り換え制御するＣＰＵ等の制御機器を要することなく、機械的に簡易な構造にて、磁気テープにおける摺動区間の位置精度及び走行速度の安定性を両立させることが可能となり、経済的で且つ磁気テープの各仕様に対して汎用性に優れた繰り返し摺動装置となる。
【図面の簡単な説明】
【図１】磁気テープの繰り返し摺動装置の正面説明図である。
【図２】磁気テープの繰り返し摺動装置の平面説明図である。
【図３】磁気テープの繰り返し摺動装置の外観斜視図（一部省略）である。
【図４】図１におけるＡ−Ａ断面図である。
【図５】テープ固定部材の正断面説明図である。
【図６】磁気テープの繰り返し摺動装置の作用説明図である。
【符号の説明】
ＭＴ　　　磁気テープ
１　　　磁気テープの繰り返し摺動装置
２　　　チェーン（無端条体）
３　　　テープ固定部材
４　　　変位変換手段
８　　　アーム部材
１０　　　ガイド溝（ガイド部）
１１　　　磁気ヘッド（摺動対象物）
【図１】
2004013999.tif 000003
【図２】
2004013999.tif 000004
【図３】
2004013999.tif 000005
【図４】
2004013999.tif 000006
【図５】
2004013999.tif 000007
【図６】
2004013999.tif 000008